(57)【要約】【課題】インデックスプランジャの高さ、特にインデックスプランジャを支持するプランジャ支持体からのインデックスプランジャの突出高さを低くする。【解決手段】基端部に操作部材１０を取り付けられたピン９を、本体２に設けられた貫通穴８に軸方向に移動可能に嵌合する。ピン９内に軸方向に延びるバネ収容穴１３を設け、このバネ収容穴１３内にバネ１６を収容し、このバネ１６によりピン９を、当該ピン９の先端を本体２から所定量突出させる向きに付勢させる。【選択図】図７
2019044905.tif 000002
【特許請求の範囲】
【請求項１】
当該インデックスプランジャを支持させるべきプランジャ支持体に取り付けられる本体と、
前記本体に設けられた貫通穴と、
前記貫通穴に、該貫通穴の長さ方向かつ自己の軸方向に移動可能に嵌合されたピンと、
前記ピンの基端部に、少なくとも軸方向には該ピンと一体的に移動するように取り付けられている操作部材と、
前記ピン内に、該ピンの軸方向に延びるように設けられたバネ収容穴と、
前記バネ収容穴に収容されており、前記ピンを該ピンの先端を前記本体から所定量突出させる向きに付勢するバネとを有してなるインデックスプランジャ。
【請求項２】
前記ピンの周壁の互いに対向する位置に設けられており、それぞれ少なくとも該ピンの軸方向に延びる軸方向部分を有する一対のスリット孔と
前記ピンおよび前記バネ収容穴を横断して前記スリット孔を貫通するようにして前記本体に取り付けられたバネ受け線材とを有してなり、
前記バネは前記バネ受け線材と前記バネ収容穴の底部側との間に介装されている請求項１記載のインデックスプランジャ。
【請求項３】
前記操作部材は、前記ピン回りの回転方向にも前記ピンと一体的に移動するように前記ピンに取り付けられており、
前記スリット孔は前記軸方向部分の先端側に、該軸方向部分から横方向に突出する横方向突出部分を有し、
前記操作部材を引き上げることにより、前記バネの付勢力に抗して、前記ピンの先端が前記本体から所定量突出した位置から、前記ピンが前記本体内に引き込まれる向きに軸方向に移動されて行き、前記バネ受け線材が前記スリット孔の先端部に達したところで、前記操作部材が所定方向に回転されると、前記バネ受け線材が前記スリット孔の前記軸方向部分から前記横方向突出部分に侵入し、前記バネの付勢力により前記ピンが該ピンの先端が前記本体から所定量突出した位置に戻ってしまうのが防止されるようになっている請求項１または２記載のインデックスプランジャ。
【請求項４】
前記スリット孔の前記横方向突出部分は前記操作部材側に凹陥する戻り防止部を有しており、前記バネ受け線材が前記軸方向部分から前記横方向突出部分に移動されて来ると、前記バネ受け線材が該戻り防止部に入り込むようになっている請求項３記載のインデックスプランジャ。
【請求項５】
前記操作部材は円板状をなしている請求項１乃至４のいずれか１項に記載のインデックスプランジャ。
【発明の詳細な説明】
【技術分野】
【０００１】
本発明は、物品の固定や位置決め等に使用されるインデックスプランジャに関する。
【背景技術】
【０００２】
インデックスプランジャは、例えば、特許文献１に示されているように、本体と、この本体に対し昇降可能な操作部材およびピンを有しており、固定ないしは位置決めの対象となる対象体の近傍に配置されたプランジャ支持体に前記本体を取り付けた上、対象体を固定ないしは位置決めするときは、本体からピンを所定量突出させて対象体に設けられたピン挿入穴に挿入する一方、対象体の固定ないしは位置決めを解除するときは、操作部材を操作してピンを本体に対し引き上げ、ピン挿入穴から抜き出すようになっている。
【先行技術文献】
【特許文献】
【０００３】
【特許文献１】特開２０１０−１９３５２号公報（段落[００２９]、図８，１３）
【発明の概要】
【発明が解決しようとする課題】
【０００４】
しかし従来は、例えば特許文献１に示されているように、バネがピンの外部において本体とピンとの間に軸方向に介装されており、本体からピンを所定量突出して対象体を固定ないしは位置決めする場合は、バネの付勢力により操作部材およびピンが本体に対し押し下げられる一方、対象体の固定ないしは位置決めを解除するときは、バネに抗して操作部材およびピンを本体に対し引き上げるようになっていた。
【０００５】
このため、従来のインデックスプランジャにおいては、前記バネの存在により、インデックスプランジャの高さ、特にインデックスプランジャのプランジャ支持体からの突出高さを高くせざるを得ないという問題があった。
【０００６】
本発明は、このような従来の事情に鑑みてなされたもので、本発明の目的の一つは、インデックスプランジャの高さ、特にプランジャ支持体からの突出高さを低くすることができるインデックスプランジャを提供することにある。
【０００７】
本発明のさらに他の目的は、以下の説明から明らかになろう。
【課題を解決するための手段】
【０００８】
本発明によるインデックスプランジャは、
当該インデックスプランジャを支持させるべきプランジャ支持体に取り付けられる本体と、
前記本体に設けられた貫通穴と、
前記貫通穴に、該貫通穴の長さ方向かつ自己の軸方向に移動可能に嵌合されたピンと、
前記ピンの基端部に、少なくとも軸方向には該ピンと一体的に移動するように取り付けられている操作部材と、
前記ピン内に、該ピンの軸方向に延びるように設けられたバネ収容穴と、
前記ボール収容穴に収容されており、前記ピンを該ピンの先端を前記本体から所定量突出させる向きに付勢するバネとを有してなるものである。
【０００９】
本発明のインデックスプランジャにおいては、従来のようにバネがピンの外部ではなく、ピンの内部において本体とピンとの間に介装されているので、インデックスプランジャの高さ、特にプランジャ支持体からの突出高さを低くすることができる。
【発明の効果】
【００１０】
本発明のインデックスプランジャは、インデックスプランジャの高さ、特にプランジャ支持体からの突出高さを低くすることができる等の優れた効果を得られるものである。
【図面の簡単な説明】
【００１１】
【図１】本発明によるインデックスプランジャの実施例１を示す分解斜視図である（バネは図示を省略している）。
【図２】実施例１をピンの先端が本体の筒状部から所定量突出した状態において示す斜視図である。
【図３】実施例１を示す平面図である。
【図４】実施例１をピンの先端が本体の筒状部から所定量突出した状態において示す正面図である。
【図５】実施例１を示す底面図である。
【図６】図３のＶＩ−ＶＩ線における断面図である（操作部材およびピンは断面していない）。
【図７】図３のＶＩＩ−ＶＩＩ線における断面図である。
【図８】図７のＶＩＩＩ−ＶＩＩＩ線における断面図である。
【図９】実施例１において、ピンが引き上げられ、ピン先端が本体の筒状部内に引き込まれた状態を示す縦断面図である。
【図１０】実施例１において、ピンが引き上げられ、ピン先端が本体の筒状部内に引き込まれた状態を示す正面図である。
【図１１】実施例１の使用状態の一例を示す一部断面図である。
【図１２】本発明によるインデックスプランジャの実施例２を示す縦断面図である（操作部材およびピンは断面していない）。
【図１３】図１２のスリット孔の横方向突出部分付近を示す拡大図である。
【図１４】図１２のＸＩＶ−ＸＩＶ線における断面図である。
【図１５】実施例２において、ピンが引き上げられ、ピン先端が本体の筒状部内に引き込まれた状態を示す縦断面図である（操作部材およびピンは断面していない）。
【図１６】図１５のＸＶＩ−ＸＶＩ線における断面図である。
【図１７】実施例２において図１５および１６の状態からロックのために操作部材が回転される状態を示す平面図である。
【図１８】実施例２において、バネ抑え棒が横方向突出部分の戻り防止部に入り込んだ状態を示す縦断面図である（操作部材およびピンは断面していない）。
【図１９】図１８のＸＩＸ−ＸＩＸ線における断面図である。
【図２０】本発明によるインデックスプランジャの実施例３を示す縦断面図である。
【図２１】実施例３における本体の分解断面図である。
【図２２】本発明によるインデックスプランジャの実施例４における本体を示す斜視図である。
【発明を実施するための形態】
【００１２】
以下、本発明を図面に示す実施例に基づいて説明する。
【実施例１】
【００１３】
図１〜１０は、本発明のインデックスプランジャの実施例１を示し、図１１は実施例１の使用状態の一例を示している。
【００１４】
インデックスプランジャ１の本体２は鋼鉄等の金属またはプラスチックからなり、該本体２の上部側をなす大径部３と、該本体２の下部側をなす筒状部４とを一体的に有している。前記大径部３は、厚い円板状をなしている。前記筒状部４は大径部３に対し垂直方向に延びており、かつ大径部３と軸心を共通にしている。また、この筒状部４の外周には、大径部３に隣接するごく短い部分を除いて、雄ねじ部５が設けられている。そして、この雄ねじ部５を図１１に示されるようにプランジャ支持体６に設けられたねじ穴となっている取付穴７に螺合することにより、本体２をプランジャ支持体６に螺着し、取り付けることができるようになっている。
【００１５】
図６〜９によく示されているように、前記本体２の中心部には、大径部３および筒状部４の両方に渡って、軸方向に横断面円形の貫通穴８が明けられている。この貫通穴８には、横断面円形のピン９が貫通穴８の長さ方向かつ該ピン９の軸方向に移動可能に嵌合されている。前記ピン９の基端部（上端部）には、該ピン９の基端部にかしめられることにより、円板状の操作部材１０がピン９に対し垂直をなすように固定されている。前記操作部材１０の中心部にはかしめ作業のために穴１１が設けられているが、美観のため、かしめ作業後、穴１１はプラスチック等からなる蓋材１２により覆われている。
【００１６】
図７〜９によく示されているように、前記ピン９内には、バネ収容穴１３が該ピン９の軸方向に延びるように設けられている。前記ピン９の周壁の互いに対向する位置には、一対のスリット孔１４が設けられている。本実施例では、前記一対のスリット孔１４はそれぞれ該ピン９の軸方向に延びる軸方向部分１４ａのみを有している。前記スリット孔１４には、直線状の金属からなる横断面円形のバネ受け線材１５がピン９およびバネ収容穴１３を直交横断するようにして貫通しており、このバネ受け線材１５の両側は本体２に取り付けられて本体２に対しては動けないようになっている。
【００１７】
前記バネ受け線材１５と前記バネ収容穴１３の底部との間には、圧縮コイルバネからなるバネ１６が介装されており、このバネ１６はピン９を該ピン９の先端を本体２から所定量突出させる向き（ピン９を操作部材１０とともに本体２に対し引き下げる向き）に付勢している。図２，４，６および７は、ピン９の先端が本体２から所定量突出した状態を示しており、この状態では操作部材１０の下面が本体２の大径部３の上面に当接しており、ピン９の先端が本体２からそれより大きく突出することはない。
【００１８】
次に、本実施例のインデックスプランジャ１の使用方法および作動を説明する。
【００１９】
操作部材１０に引き上げる力を作用させていないときは、バネ１６の付勢力により、図２，４，６および７に示されるように、インデックスプランジャ１のピン９の先端が本体２の筒状部４から所定量突出した状態となる。
【００２０】
次に、上述のようにピン９の先端が本体２の筒状部４から所定量突出した位置から、バネ１６に抗して操作部材１０を指で摘んで本体２に対し引き上げると、ピン９も引き上げられ、図９および１０のようにピン９の先端が本体２の筒状部４内に引き込まれるようにすることができる。
【００２１】
また、操作部材１０から指を放せば、バネ１６の付勢力により、ピン９が操作部材１０とともに押し下げられ、再び前記図２，４，６および７に示されるような、インデックスプランジャ１のピン９の先端が本体２の筒状部４から所定量突出した状態となる。
【００２２】
実際に使用する場合には、図１１に示されるように、筒状部４の雄ねじ部５をプランジャ支持体６に設けられた取付穴７に螺合する（この際、大径部３を指で摘んで本体２を回転させる）ことにより、本体２をプランジャ支持体６に螺着固定し、インデックスプランジャ１の筒状部４の先端を対象体１７に対向させる。本実施例における対象体１７は、プランジャ支持体６に対して位置を固定された回転軸１８回りに回転可能となっており、その外周にピン挿入穴１９を複数設けられている。
【００２３】
そして、操作部材１０を引き上げることによりピン９の先端を本体２の筒状部４内に引き込ませた状態から、操作部材１０の引き上げを止めて、インデックスプランジャ１のピン９の先端を本体２の筒状部４から所定量突出させてピン挿入穴１９に侵入させれば、対象体１７をその位置に固定したり、位置決めすることができる。
【００２４】
また、再び操作部材１０を引き上げ、ピン９の先端を本体２の筒状部４内に引き込ませれば、前記固定ないしは位置決めを解除できる。
【００２５】
なお、図１１に示したプランジャ支持体６および対象体１７は、あくまで本発明を理解しやすくするために一例として示したものであり、本発明のインデックスプランジャ１に関し使用されるプランジャ支持体６および対象体１７は、図１１のような構造のものに限定されることはない。
【００２６】
このインデックスプランジャ１においては、バネ１６が従来のようにピン９の外部ではなく、ピン９の内部において本体２とピン９との間に介装されているので、インデックスプランジャ１の高さ、特に図６，７，９，１０および１１に示されているようにプランジャ支持体６（大径部３の下端）からの突出高さＨ1，Ｈ2（Ｈ1はピン９先端突出時における突出高さ、Ｈ2はピン９先端引き込み時における突出高さ）を低くすることができる。
【００２７】
なお、本実施例では、ピン９と操作部材１０とはかしめにより一体化され、操作部材１０はいずれの方向にもピン９と一体的に移動するようになっているが、本実施例のように操作部材１０とピン９とが一体的に回転する必要はない場合は、操作部材１０は、軸方向に関してのみピン９と一体的に移動するようにピン９に取り付けられていればよく、回転方向にはピン９に対して可動となっていてもよい。
【実施例２】
【００２８】
図１２〜１９は、本発明の実施例２を示している。実施例１では、ピン９を引き上げられている状態にロックすることはできなかったが、本実施例においては、ピン９を引き上げられている状態にロックすることができる。
【００２９】
本実施例においては、スリット孔１４は、図１２，１３および１５に示されているように、ピン９の軸方向に延びる軸方向部分１４ａのみではなく、該軸方向部分１４ａの先端側に、該軸方向部分１４ａから横方向に突出する横方向突出部分１４ｂを有している。そして、図１３の拡大図によく示されているように、前記横方向突出部分１４ｂには操作部材１０側に凹陥する戻り防止部１４ｃが設けられている。他の構成は、実施例１と同様である。
【００３０】
本実施例においては、図１２のようにバネ１６の付勢力によりピン９が押し下げられ、該ピン９の先端が本体２から所定量突出した位置から、操作部材１０を引き上げることにより、バネ１６の付勢力に抗してピン９が本体２内に引き込まれる向きに軸方向に移動して行き、図１５および１６のようにバネ受け線材１５がスリット孔１４の軸方向部分１４ａの先端部に達したところで、図１７のように操作部材１０を所定方向に回転すると、図１８のようにバネ受け線材１５がスリット孔１４の横方向突出部分１４ｂに侵入する。これにより、操作部材１０から手を離しても、バネ１６の付勢力によりピン９が該ピン９の先端が本体２から所定量突出した位置に戻ってしまうのが防止される。すなわち、ピン９を引き上げられている状態にロックすることができる。
【００３１】
特に本実施例では、横方向突出部分１４ｂが単純な直線状ではなく、戻り防止部１４ｃを有しているので、この戻り防止部１４ｃにバネ受け線材１５が入り込むことになるため、操作者が意図的に操作部材１０を逆回転しバネ受け線材１５を横方向突出部分１４ｂから軸方向部分１４ａに戻そうとしない限り、バネ受け線材１５が横方向突出部分１４ｂからスリット孔１４の軸方向部分１４ａに戻りにくくなるようになっている。なお、図１３の一点鎖線は、戻り防止部１４ｃにバネ受け線材１５が入り込んだ状態をより明確に示すために描かれているものである。
【００３２】
再びピン９の先端を本体２から所定量突出した状態に戻したい場合は、操作部材１０を図１７と逆回転し、バネ受け線材１５を横方向突出部分１４ｂから軸方向部分１４ａに戻し、バネ１６の付勢力により操作部材１０およびピン９が押し下げられるようにすればよい。
【００３３】
本実施例においても、バネ１６が従来のようにピン９の外部ではなく、ピン９の内部において本体２とピン９との間に介装されているので、インデックスプランジャ１の高さ、特に図１２および１８に示されているようにプランジャ支持体６（大径部３の下端）からの突出高さＨ1，Ｈ2（Ｈ1はピン９先端突出時における突出高さ、Ｈ2はピン９先端引き込み時における突出高さ）を低くすることができる。
【実施例３】
【００３４】
図２０および２１は、本発明の実施例３を示している。本実施例においては、本体２に対するバネ受け線材１５の取り付方が各実施例と異なっている。すなわち、図２１によく示されるように、本体２の大径部３の上面側には、バネ受け支持材装着穴２０が設けられており、このバネ受け支持材装着穴２０の内周には雌ねじ部２０ａが設けられている。インデックスプランジャ１を組み立てる前は本体２とは別体とされているバネ受け支持材２１は、中心部に貫通穴８の一部を形成されている厚い円板状とされており、該バネ受け支持材２１の外周には雄ねじ部２１ａが設けられている。そして、バネ受け支持材２１にバネ受け線材１５を径方向に装着した後、バネ受け支持材２１をバネ受け支持材装着穴２０に螺着することにより、本体２にバネ受け線材１５が取り付けられている。
【００３５】
本実施例においても実施例１および２と同様の作用効果を得ることができる。
【００３６】
なお、本発明においては、操作部材１０側においてバネ１６を受ける手段は、実施例１〜３におけるバネ受け線材１５のようなものに限られることはない。しかし、実施例１〜３のようにピン９およびバネ収容穴１３を横断してスリット孔１４を貫通するようにしてバネ受け線材１５を本体２に取り付け、バネ１６をバネ受け線材１５とバネ収容穴１３の底部側との間に介装するようにすれば、インデックスプランジャ１を大型化することなく、バネ１６を確実に受けることができる。
【実施例４】
【００３７】
図２２は、実施例４における本体２を示している。本実施例では、本体２のうちの実施例１〜３における大径部３に相当する部分は、横断面非円形の工具嵌合部２２とされている。より具体的には、前記工具嵌合部２２は厚い円板の一部を２つの平行な面２２ａが形成されるように該円板に対し垂直方向に切り落とした形状をなしており、スパナ（オープンエンドレンチ）等の工具（図示せず）を平行な面２２ａに嵌合して本体２を回転できるようになっている。他の構成は実施例１または２と同様でよい。
【００３８】
本実施例では、インデックスプランジャ１の本体２の筒状部４の雄ねじ部５をプランジャ支持体６に設けられた取付穴７に螺合する際、工具嵌合部２２に工具を嵌合することにより、工具を使用することができる。
【００３９】
なお、工具嵌合部２２の形状は、工具を嵌合できる形状であればよく、横断面正六角形状等の他の形状としてもよい。
【００４０】
また、前記各実施例では、操作部材１０が円板状をなしているが、本発明においては、操作部材は必ずしも円板状をなしていなくてもよい。しかし、前記各実施例のように操作部材を円板状とすれば、インデックスプランジャの高さ、特にプランジャ支持体からの突出高さをより低くすることができる。
【産業上の利用可能性】
【００４１】
以上のように本発明によるインデックスプランジャは、物品の固定や位置決め等に使用されるインデックスプランジャとして有用である。
【符号の説明】
【００４２】
１    インデックスプランジャ
２    本体
３    大径部
４    筒状部
５    雄ねじ部
６    プランジャ支持体
７    取付穴
８    貫通穴
９    ピン
１０    操作部材
１３    バネ収容穴
１４    スリット孔
１４ａ  軸方向部分
１４ｂ  横方向突出部分
１４ｃ  戻り防止部
１５    バネ受け線材
１６    バネ
【図１】
2019044905.tif 000003
【図２】
2019044905.tif 000004
【図３】
2019044905.tif 000005
【図４】
2019044905.tif 000006
【図５】
2019044905.tif 000007
【図６】
2019044905.tif 000008
【図７】
2019044905.tif 000009
【図８】
2019044905.tif 000010
【図９】
2019044905.tif 000011
【図１０】
2019044905.tif 000012
【図１１】
2019044905.tif 000013
【図１２】
2019044905.tif 000014
【図１３】
2019044905.tif 000015
【図１４】
2019044905.tif 000016
【図１５】
2019044905.tif 000017
【図１６】
2019044905.tif 000018
【図１７】
2019044905.tif 000019
【図１８】
2019044905.tif 000020
【図１９】
2019044905.tif 000021
【図２０】
2019044905.tif 000022
【図２１】
2019044905.tif 000023
【図２２】
2019044905.tif 000024